(57)【要約】【課題】相手コネクタからの離脱作業をスムーズに行うことができる合体コネクタを提供する。【解決手段】合体コネクタＣは、幅方向の両方の側面部に第１係合部１１，１２をそれぞれ有し、幅方向のセンター位置に挿入完了位置でジョイントコネクタに係合し、且つ、係合解除可能なロックアーム１３を有するセンターサブコネクタ１と、センターサブコネクタ１の左右外側に配置され、センターサブコネクタ１の各第１係合部１１，１２に係合される第２係合部２４，３４を有する一対のサイドサブコネクタ２，３とを備えている。【選択図】図１
2019212416.tif 000002
【特許請求の範囲】
【請求項１】
幅方向の両方の側面部に第１係合部をそれぞれ有し、幅方向のセンター位置に挿入完了位置で相手コネクタに係合し、且つ、係合解除可能なロックアームを有するセンターサブコネクタと、
前記センターサブコネクタの左右外側に配置され、前記センターサブコネクタの前記各第１係合部に係合される第２係合部を有する一対のサイドサブコネクタとを備えたことを特徴とする合体コネクタ。
【請求項２】
請求項１記載の合体コネクタであって、
前記サイドサブコネクタは、上下方向で嵌合された２つの分割サブコネクタであることを特徴とする合体コネクタ。
【請求項３】
請求項１又は請求項２記載の合体コネクタであって、
前記第１係合部と前記第２係合部は、共に蟻溝形状部と蟻ホゾ形状部を有する構成であり、互いの蟻溝形状部と蟻ホゾ形状部が係合されることを特徴とする合体コネクタ。
【請求項４】
請求項１〜請求項３のいずれかに記載の合体コネクタであって、
前記センターサブコネクタと各サイドサブコネクタ、及び、前記各サイドサブコネクタが２つの分割サブコネクタより構成された場合には２つの分割サブコネクタは、それぞれに接続された電線と共にサブワイヤーハーネスをそれぞれ構成しており、
前記相手コネクタは、ジョイントコネクタであり、前記ジョイントコネクタを介して前記各サブワイヤーハーネスのそれぞれの前記電線間がジョイント・分岐接続されたことを特徴とする合体コネクタ。
【発明の詳細な説明】
【技術分野】
【０００１】
本発明は、複数のサブコネクタが嵌合された合体コネクタに関する。
【背景技術】
【０００２】
従来の合体コネクタとして特許文献１に開示されたものがある。この合体コネクタ５０は、図９及び図１０に示すように、上下方向に積層され、互いに嵌合された複数のサブコネクタ５１を有する。各サブコネクタ５１は、ハウジング５２と、ハウジング５２内に収容された複数の端子５３とを有する。複数の端子５３は、並列状態で配置されている。各端子５３には電線Ｗの端末が接続されている。
【０００３】
相手コネクタ６０は、ハウジング嵌合室６１を有する相手ハウジング６２と、相手ハウジング６２内に収容された端子組付けプレート６３を有する。端子組付けプレート６３には、所定の位置にピン端子６４が突出し、所定のピン端子６４間は、電気的に接続されている。
【０００４】
合体コネクタ５０を相手ハウジング６２のハウジング嵌合室６１内に嵌合する。すると、サブコネクタ５１の各端子５３が相手コネクタ６０の対応するピン端子６４にそれぞれ接続される。これにより、所定の電線Ｗ間がジョイント・分岐接続される。
【０００５】
このように、一度のコネクタ嵌合によって、各電線Ｗ間をジョイント・分岐接続できる。
【０００６】
ところで、メインテナンス等の理由によって、合体コネクタ５０を相手コネクタ６０より離脱させたい場合がある。
【先行技術文献】
【特許文献】
【０００７】
【特許文献１】特開２００４−１１１２７９号公報
【発明の概要】
【発明が解決しようとする課題】
【０００８】
しかしながら、前記従来例では、合体コネクタ５０を相手コネクタ６０より離脱させるには、複数の電線Ｗを把持し、相手コネクタ６０より離脱させる方向に引き抜き力を作用させることによってしか離脱させることができない。従って、相手コネクタ６０に対して合体コネクタ５０が傾斜した状態で引き抜かれる恐れがあり、合体コネクタ５０の離脱がスムーズに行えないという恐れがある。
【０００９】
そこで、本発明は、前記した課題を解決すべくなされたものであり、相手コネクタからの離脱作業をスムーズに行うことができる合体コネクタを提供することを目的とする。
【課題を解決するための手段】
【００１０】
本発明は、幅方向の両方の側面部に第１係合部をそれぞれ有し、幅方向のセンター位置に相手コネクタのロック部に係合し、且つ、係合解除可能なロックアームを有するセンターサブコネクタと、前記センターサブコネクタの左右外側に配置され、前記センターサブコネクタの前記各第１係合部に係合される第２係合部を有する一対のサイドサブコネクタとを備えたことを特徴とする合体コネクタである。
【発明の効果】
【００１１】
本発明によれば、相手コネクタからの離脱作業を行う場合には、ロックアームの係合を解除する作業を行うが、合体コネクタのセンター位置を支持しながらコネクタ離脱力を作用させることになるため、作業者が合体コネクタがジョイントコネクタに対して傾くことを抑制しつつコネクタ離脱力を作用させることができるため、相手コネクタからの離脱作業をスムーズに行うことができる。
【図面の簡単な説明】
【００１２】
【図１】本発明の一実施形態を示し、合体コネクタの全体斜視図である。
【図２】本発明の一実施形態を示し、合体コネクタの分離時の斜視図である。
【図３】本発明の一実施形態を示し、（ａ）はセンターサブコネクタの斜視図、（ｂ）はロックアームの断面図である。
【図４】本発明の一実施形態を示し、左側のサイドサブコネクタの合体作業を説明する斜視図である。
【図５】本発明の一実施形態を示し、右側のサイドサブコネクタの合体作業を説明する斜視図である。
【図６】本発明の一実施形態を示し、センターサブコネクタに対する各サイドサブコネクタの合体作業を説明する斜視図である。
【図７】本発明の一実施形態を示し、合体コネクタをジョイントコネクタに合体する前の斜視図である。
【図８】本発明の一実施形態を示し、（ａ）は合体コネクタをジョイントコネクタに合体した斜視図、（ｂ）はロックアームの係合箇所の断面図である。
【図９】従来例を示し、合体コネクタと相手コネクタ（分解状態を示す）の嵌合する前の斜視図である。
【図１０】従来例を示し、（ａ）は合体コネクタを相手コネクタに嵌合した斜視図、（ｂ）はサブコネクタの斜視図である。
【発明を実施するための形態】
【００１３】
以下、本発明の実施形態を図面に基づいて説明する。
【００１４】
図１〜図８には本発明の一実施形態が示されている。尚、下記の説明において、左右の位置関係は、便宜上、図面上での位置関係を示す。
【００１５】
合体コネクタＣは、センターサブコネクタ１と、左右一対のサイドサブコネクタ２，３とを備えている。
【００１６】
センターサブコネクタ１は、ハウジング１０と、ハウジング内に収容された複数の端子（図示せず）とを有する。各端子は、メス型の端子である。各端子には、電線Ｗ１の端末が接続されている。センターサブコネクタ１と複数の電線Ｗ１は、第１サブワイヤーハーネスＷＨ１を構成している。
【００１７】
ハウジング１０の上面には、一対の第１係合部１１，１２とロックアーム１３が突設されている。一対の第１係合部１１，１２は、幅方向の左右両側部に設けられている。各第１係合部１１，１２は、上方から見て蟻溝形状部と蟻ホゾ形状部が連続する構造である。ロックアーム１３は、幅方向のセンター位置に設けられている。ロックアーム１３は、片持ち支持の弾性アーム部１３ａと、弾性アーム部１３ａの先端近くに設けられた係止爪部１３ｂと、弾性アーム部１３ａの先端より突設された解除操作部１３ｃとを有する。解除操作部１３ｃは、ハウジング１０の上面より離間した上方位置に位置する。解除操作部１３ｃをハウジング１０の上面に押圧する方向に操作することにより弾性アーム部１３ａが下方に向かって撓み、ロック解除できるようになっている（図８参照）。
【００１８】
各サイドサブコネクタ２，３は、上側分割サブコネクタ２０，３０と下側分割サブコネクタ２１，３１からそれぞれ構成されている。上側分割サブコネクタ２０，３０は、下面側に第３係合部（図示せず）を有する。下側分割サブコネクタ２１，３１は、上面側に第４係合部２３，３３を有する。第３係合部（図示せず）と第４係合部２３，３３は、例えば互いに嵌合し合う円筒形である。上側分割サブコネクタ２０，３０と下側分割サブコネクタ２１，３１は、第３係合部（図示せず）と第４係合部２３，３３によって上下方向で嵌合可能に設けられている。
【００１９】
左右の上側分割サブコネクタ２０，３０には、幅方向の一側部に第２係合部２４，３４がそれぞれ設けられている。第２係合部２４，３４は、第１係合部１１，１２と同様に、上方から見て蟻溝形状部と蟻ホゾ形状部が連続する構造である。第１係合部１１，１２と第２係合部２４，３４は、互いの蟻溝形状部と蟻ホゾ形状部が係合される位置関係に設定されている。
【００２０】
左側の上側分割サブコネクタ２０と下側分割サブコネクタ２１は、それぞれハウジング２０ａ，２１ａと、ハウジング２０ａ，２１ａ内に収容された複数の端子（図示せず）とを有する。各端子には、電線Ｗ２，Ｗ３の端末が接続されている。上側分割サブコネクタ２０と複数の電線Ｗ２は、第２サブワイヤーハーネスＷＨ２を構成している。下側分割サブコネクタ２１と複数の電線Ｗ３は、第３サブワイヤーハーネスＷＨ３を構成している。
【００２１】
右側の上側分割サブコネクタ３０と下側分割サブコネクタ３１は、それぞれハウジング３０ａ，３１ａと、ハウジング３０ａ，３１ａ内に収容された複数の端子（図示せず）とを有する。各端子には、電線Ｗ４．Ｗ５の端末が接続されている。上側分割サブコネクタ３０ａと複数の電線Ｗ４は、第４サブワイヤーハーネスＷＨ４を構成している。下側分割サブコネクタ３１と複数の電線Ｗ５は、第５サブワイヤーハーネスＷＨ５を構成している。
【００２２】
次に、合体コネクタＣの組み付け手順の一例を説明する。図４にて矢印で示すように、左側の上側分割サブコネクタ２０と下側分割サブコネクタ２１を組み付け、左側のサイドサブコネクタ２を作る。図５にて矢印で示すように、右側の上側分割サブコネクタ３０と下側分割サブコネクタ３１を組み付け、右側のサイドサブコネクタ３を作る。次に、図６にて矢印で示すように、センターサブコネクタ１に左右のサイドサブコネクタ２，３をそれぞれ組み付ける。これで、合体コネクタＣが完成する。
【００２３】
次に、相手コネクタであるジョイントコネクタ４を説明する。ジョイントコネクタ４は、図７及び図８に示すように、一端面が開口されたハウジング嵌合室４０が設けられたジョイントハウジング４１と、ジョイントハウジング４１の裏面側に組み付けされたリアカバー４２とを有する。
【００２４】
ジョイントハウジング４１の上面部のセンター位置には、ハウジング嵌合室４０の開口面に開放された切欠部４３が設けられている。ジョイントハウジング４１の上面部のセンター位置で、切欠部４３より奥位置には、ハウジング嵌合室４０に突設するロック部４４が設けられている。
【００２５】
リアカバー４２には、例えば基板(図示せず)）が設けられている。基板には、複数のピン端子（オス型端子）と分岐回路が設けられている。各ピン端子は、ハウジング嵌合室４０の所定位置にそれぞれ突出している。
【００２６】
図７にて矢印で示すように、合体コネクタＣをジョイントハウジング４１のハウジング嵌合室４０に挿入する。すると、合体コネクタＣのロックアーム１３がジョイントハウジング４１のロック部４４に干渉するが、合体コネクタＣはロックアーム１３の弾性アーム部１３部ａが撓み変形することによってハウジング嵌合室４０への挿入が許容される。合体コネクタＣが挿入完了位置まで挿入されると、ロックアーム１３が撓み復帰変形し、ロックアーム１３の係止爪部１３ｂがジョイントハウジング４１のロック部４４に係止し、合体コネクタＣとジョイントコネクタ４間がロックされる。合体コネクタＣの挿入完了位置では、合体コネクタＣの各ハウジング１０，２０，２１，３０，３１内の各端子(図示せず)がハウジング嵌合室４０に突出する各ピン端子（図示せず）と接続される。これにより、ワイヤーハーネスを構成する５つのサブワイヤーハーネスＷＨ１〜ＷＨ５の各電線Ｗ１〜Ｗ５間がジョイント・分岐接続される。
【００２７】
メンテナンス等によって合体コネクタＣをジョイントコネクタ４より離脱させるには、ロックアーム１３の解除操作部１３ｃを押下する。すると、図８（ｂ）にて仮想線で示すように、ロックアーム１３の係止爪部１３ｂとジョイントハウジング４１のロック部４４との係止が解除される。作業者は、ロックアーム１３の解除操作部１３ｃを押下した状態を保持しつつ合体コネクタＣをジョイントハウジング４１より引き抜き、合体コネクタＣを離脱させる。つまり、合体コネクタＣのセンター位置を支持しながらコネクタ離脱力を作用させて、合体コネクタＣを離脱させる。
【００２８】
以上説明したように、合体コネクタＣは、幅方向の両方の側面部に第１係合部１１，１２をそれぞれ有し、幅方向のセンター位置に挿入完了位置で相手コネクタであるジョイントコネクタ４に係合し、且つ、係合解除可能なロックアーム１３を有するセンターサブコネクタ１と、センターサブコネクタ１の左右外側に配置され、センターサブコネクタ１の各第１係合部１１，１２に係合される第２係合部２４，３４を有する一対のサイドサブコネクタ２，３とを備えている。
【００２９】
上記したように、合体コネクタＣをジョイントコネクタ４から離脱させる場合には、ロックアーム１３の係合を解除する作業を行うが、ロックアーム１３の位置が合体コネクタＣの幅方向のセンター位置であるため、合体コネクタＣのセンター位置を支持しながらコネクタ離脱力を作用させることになる。そのため、作業者が合体コネクタＣがジョイントコネクタ４に対して傾くことを抑制しつつコネクタ離脱力を作用させることができるため、離脱作業をスムーズに行うことができる。換言すれば、コネクタ離脱力が合体コネクタＣの適正な離脱方向とほぼ一致し、合体コネクタＣを適正な離脱方向に対して傾斜させることがなく、離脱作業をスムーズに行うことができる。
【００３０】
左右の各サイドサブコネクタ２，３は、上下方向で嵌合された上側分割サブコネクタ２０，３０と下側分割サブコネクタ２１，３１からそれぞれ構成されている。従って、サブハーネスを更に細分化して製造できる。左右の各サイドサブコネクタ２，３は、３つ以上のコネクタから構成しても良い。又、左右のサイドサブコネクタ２，３は、単一のコネクタであっても良い。
【００３１】
合体コネクタＣの形態が左右対称な構成であるため、ロックアーム１３を介して作用させる離脱力が合体コネクタＣの適正な離脱方向に確実に作用し、この点からも離脱作業を更にスムーズに行うことができる。
【００３２】
第１係合部１１，１２と第２係合部２４，３４は、共に蟻溝形状部と蟻ホゾ形状部を有する構成であり、互いの蟻溝形状部と蟻ホゾ形状部が係合される。従って、センターサブコネクタ１と各サイドサブコネクタ２，３間を確実に強固に合体できる。この実施形態では、第１係合部１１，１２と第２係合部２４，３４は、上方から見て蟻溝形状部と蟻ホゾ形状部が連続する構造であるが、左右方向で嵌合できる構造であれば良い。
【００３３】
合体コネクタＣを構成する個々のサブコネクタ、つまり、センターサブコネクタ１と、各サイドサブコネクタ２，３を構成する２つの上側分割サブコネクタ２０，３０と、２つの下側分割サイドコネクタ２１，３１は、それぞれに接続された電線Ｗ１〜Ｗ５と共にサブワイヤーハーネスＷＨ１〜ＷＨ５をそれぞれ構成している。そして、相手コネクタであるジョイントコネクタ４を介して各サブワイヤーハーネスＷＨ１〜ＷＨ５のそれぞれの電線Ｗ１〜Ｗ５間がジョイント・分岐接続されている。
【００３４】
従って、複数のサブワイヤーハーネスＷ１〜Ｗ５から構成されたワイヤーハーネスの端末処理を一度のコネクタ嵌合作業によって行うことができる。
【００３５】
この実施形態では、第３係合部（図示せず）と第４係合部２３は、例えば互いに嵌合し合う円筒形であるが、上下方向に嵌合できる構造であれば良い。
【００３６】
この実施形態では、センターサブコネクタ１は、単一のコネクタであるが、２つ以上のコネクタから構成しても良い。
【符号の説明】
【００３７】
Ｃ  合体コネクタ
１  センターサブコネクタ
２，３  サイドサブコネクタ
１１，１２  第１係合部
２０，３０  上側分割サブコネクタ（分割サブコネクタ）
２１，３１  下側分割サブコネクタ（分割サブコネクタ）
２４，３４  第２係合部
Ｗ１〜Ｗ５  電線
ＷＨ１〜ＷＨ５  サブワイヤーハーネス
【図１】
2019212416.tif 000003
【図２】
2019212416.tif 000004
【図３】
2019212416.tif 000005
【図４】
2019212416.tif 000006
【図５】
2019212416.tif 000007
【図６】
2019212416.tif 000008
【図７】
2019212416.tif 000009
【図８】
2019212416.tif 000010
【図９】
2019212416.tif 000011
【図１０】
2019212416.tif 000012